(57)【要約】  一種の大電力充電スタンド正極及び負極専用パラレル冷却液冷電気ケーブルは、液冷電気ケーブル絶縁カバーと、液冷電気ケーブル絶縁カバー内に設けられている複数の信号線とを備える。液冷電気ケーブル絶縁カバーは、内部に、直流ＤＣ＋および直流ＤＣ-という二本の液冷ケーブルが設けられている。各液冷ケーブルは、絶縁スリーブ管、軟性導線、および冷却液内菅から構成されている。軟性導線は、一端が液冷電気ケーブル電極に接続されており、他端が充電ガン液冷端子に接続されており、充電ガン液冷端子には冷却液外部通路および冷却液内部通路と連通する冷却キャビティが設けられている。液冷電気ケーブル電極には冷却液外部通路および冷却液内部通路とそれぞれ対応かつ連通する冷却液出入口が設けられている。本発明は、６００Ａの電流を安全に流すことができ、大電力の充電に用いることを保障し、充電動作中に現れる電気ケーブルの過熱現象を避ける。
2021518638.tif 000002
【特許請求の範囲】
【請求項１】
液冷電気ケーブル絶縁カバー（１）と、液冷電気ケーブル絶縁カバー（１）内に設けられている複数の信号線（１０）とを備え、
液冷電気ケーブル絶縁カバー（１）は、内部に、直流ＤＣ＋および直流ＤＣ-という二本の液冷ケーブルが設けられており、
各液冷ケーブルは、絶縁スリーブ管（３）、軟性導線（２）、および冷却液内菅（４）から構成されており、軟性導線（２）は絶縁スリーブ管（３）内に設けられており、軟性導線（２）と絶縁スリーブ管（３）との間に設けられている隙間が冷却液外部通路（５）であり、冷却液内菅（４）は軟性導線（２）内部に貫通かつ嵌め込まれておりその管内のキャビティが冷却液内部通路（６）であり、
軟性導線（２）は、一端が液冷電気ケーブル電極（７）に接続されており、他端が充電ガン液冷端子（８）に接続されており、充電ガン液冷端子（８）には冷却液外部通路（５）および冷却液内部通路（６）と連通する冷却キャビティ（８．１）が設けられており、液冷電気ケーブル電極（７）には冷却液外部通路（５）および冷却液内部通路（６）とそれぞれ対応かつ連通する冷却液出入口が設けられていることを特徴とする一種の大電力充電スタンド正極及び負極専用パラレル冷却液冷電気ケーブル。
【請求項２】
軟性導線（２）は、軟導体（２．１）および防護ネット（２．２）を含み、冷却液内菅（４）が軟導体（２．１）内部を貫通し、軟導体（２．１）が防護ネット（２．２）内部を貫通し、絶縁スリーブ管（３）と防護ネット（２．２）との間に環状の冷却液外部通路（５）が設けられており、
軟導体（２．１）は、マルチストランドコアであり、断面が３５〜６０平方ｍｍであり、マルチストランドコアは、複数本の小径の錫メッキ銅単線の撚り合わせにより形成された複数本の小ストランドにより形成された筒状導線であり、
防護ネット（２．２）は、細い錫メッキ銅線により編成された筒状の網線であり、
冷却液内菅（４）は、ポリテトラフルオロエチレン管であることを特徴とする請求項１に記載の一種の大電力充電スタンド正極及び負極専用パラレル冷却液冷電気ケーブル。
【請求項３】
充電ガン液冷端子（８）は、軸状であり、一端が電気自動車の充電ソケットと対応接続する閉口プラグ端（８．２）であり、他端が大電力充電スタンドの液冷ケーブルの軟性導線（２）と対応接続する開口接続端（８．３）であり、充電ガン液冷端子（８）の外径の中間部位には、突出しており充電ガンの本体と接続するのに用いられる位置決めユニット（８．４）が設けられており、
冷却キャビティ（８．１）は、互いに連通している大径キャビティおよび小径キャビティの二段構造を有し、大径キャビティが開口接続端（８．３）を介して冷却液外部通路（５）と連通し、小径キャビティが閉口プラグ端（８．２）の内部と対応していることを特徴とする請求項１に記載の一種の大電力充電スタンド正極及び負極専用パラレル冷却液冷電気ケーブル。
【請求項４】
位置決めユニット（８．４）は、取り外し可能な位置決めユニットであり、取り外し可能な位置決めユニットが環状ナット状であり、
充電ガン液冷端子（８）は、位置決めユニット（８．４）の部位に雄ねじが設けられており、位置決めユニット（８．４）が雄ねじに羅着されており、
開口接続端（８．３）の外部円柱面と位置決めユニット（８．４）との間に環状溝がもうけられており、環状溝に密封リングが設けられていることを特徴とする請求項３に記載の一種の大電力充電スタンド正極及び負極専用パラレル冷却液冷電気ケーブル。
【請求項５】
冷却液内菅（４）は、充電ガン液冷端子（８）の一端に位置し、小径キャビティの底部まで延伸し、冷却液内部通路（６）と小径キャビティとが連通していることを特徴とする請求項３に記載の一種の大電力充電スタンド正極及び負極専用パラレル冷却液冷電気ケーブル。
【請求項６】
充電ガン液冷端子（８）の小径キャビティの内部には、斜面開口内管（８．５）が設けられており、
斜面開口内管（８．５）は、外径が小径キャビティの内径より小さくなるよう形成されており、小径キャビティの密封底部に近接する一端に斜面開口が設けられており、他端が外側に向いて伸び大径キャビティを出で冷却液内菅（４）とスリーブ接続し、冷却液内部通路（６）が斜面開口内管（８．５）の斜面開口を介して小径キャビティと連通することを特徴とする請求項３に記載の一種の大電力充電スタンド正極及び負極専用パラレル冷却液冷電気ケーブル。
【請求項７】
軟性導線（２）は、一端が充電ガン液冷端子（８）の大径キャビティの内壁に圧接されており、圧接断面の形状が半円の溝の形をしており、
絶縁スリーブ管（３）は、端部が開口接続端（８．３）の外部円柱面にスリーブ接続されており、クリップ（９）により締め付けられており、
開口接続端（８．３）は、外部円柱面に、クリップ（９）に合わせ可能な塔形の密封溝が設けられていることを特徴とする請求項３〜６に記載の一種の大電力充電スタンド正極及び負極専用パラレル冷却液冷電気ケーブル。
【請求項８】
液冷電気ケーブル電極（７）は、電極管路（７．１）を含み、電極管路（７．１）の両端にそれぞれ冷却液入口（７．２）および導線接続口（７．３）が設けられており、冷却液入口（７．２）と導線接続口（７．３）との間に連通孔（７．５）が設けられており、連通孔（７．５）は内径が導線接続口（７．３）の内径より小さく形成されており、
電極管路（７．１）の管壁に冷却液出口（７．４）が設けられており、冷却液入口（７．２）に入液口クイックジョイント（１１）が接続されており、冷却液出口（７．４）に出液口クイックジョイント（１２）が接続されており、
液冷電気ケーブル電極（７）には充電スタンド電源の正負極と接続する電極取付座（７．７）が設けられていることを特徴とする請求項１に記載の一種の大電力充電スタンド正極及び負極専用パラレル冷却液冷電気ケーブル。
【請求項９】
液冷電気ケーブル電極（７）は、電極管路（７．１）を含み、
電極管路（７．１）は、一端に導線接続口（７．３）が設けられており、他端が管路の密封端であり、他端に充電スタンド電源の正負極と接続する電極取付座（７．７）が設けられており、管壁に冷却液入口（７．２）および冷却液出口（７．４）が並列に設けられており、冷却液出口（７．４）が導線接続口（７．３）の片側に位置し、
冷却液入口（７．２）と冷却液出口（７．４）との間に連通孔（７．５）が設けられており、
連通孔（７．５）は内径が導線接続口（７．３）の内径より小さく形成されえており、
冷却液入口（７．２）に入液口クイックジョイント（１１）が接続されており、冷却液出口（７．４）に出液口クイックジョイント（１２）が接続されていることを特徴とする請求項１に記載の一種の大電力充電スタンド正極及び負極専用パラレル冷却液冷電気ケーブル。
【請求項１０】
冷却液内菅（４）は、液冷電気ケーブル電極（７）の一端に位置し、冷却液入口（７．２）内に延伸し、
冷却液内部通路（６）と冷却液入口（７．２）とが連通しており、冷却液出口（７．４）と冷却液外部通路（５）とが導線接続口（７．３）を介して連通しており
液冷電気ケーブル電極（７）内において、冷却液入口（７．２）内の冷却液と冷却液出口（７．４）内の冷却液と互いに隔離されていることを特徴とする請求項８または９に記載の一種の大電力充電スタンド正極及び負極専用パラレル冷却液冷電気ケーブル。
【請求項１１】
液冷電気ケーブル電極（７）は、連通孔（７．５）内に、電極冷却内管（７．６）が密封接続されており、
電極冷却内管（７．６）は、一端が冷却液入口（７．２）内に位置し、他端が外側に向いて伸び導線接続口（７．３）を出て冷却液内菅（４）とスリーブ接続されており、
冷却液内部通路（６）は電極冷却内管（７．６）を介して冷却液入口（７．２）と連通していることを特徴とする請求項８または９に記載の一種の大電力充電スタンド正極及び負極専用パラレル冷却液冷電気ケーブル。
【請求項１２】
軟性導線（２）は、他端が電極管路（７．１）の内管壁に圧接されており、圧接断面の形状が半円の溝の形をしており、
絶縁スリーブ管（３）は、端部が電極管路（７．１）の外部円柱面にスリーブ接続されており、クリップ（９）により締め付けられており、
電極管路（７．１）は、外部円柱面に、クリップ（９）に合わせ可能な塔形の密封溝が設けられていることを特徴とする請求項８または９に記載の一種の大電力充電スタンド正極及び負極専用パラレル冷却液冷電気ケーブル。
【発明の詳細な説明】
【技術分野】
【０００１】
本発明は、新エネルギー電気自動車用大電力充電スタンド技術分野に関し、詳しくは、一種の大電力充電スタンド正極及び負極専用パラレル冷却液冷電気ケーブルに関する。
【背景技術】
【０００２】
新エネルギー電気自動車は、排ガスを排出せず、環境に優しいため、世界にて急速に発展する。内燃機関自動車は最終的に歴史のステージから姿を消し、代わりとなるのが新エネルギー電気自動車である。内燃機関自動車の消失に伴い，それに付随する給油ステーションもその歴史的使命を終了し、その代わりとなるのは、世界各地に広がる充電ステーションであるだろう。充電ステーションのハードウェア施設は充電スタンドであり、高速充電可能である大電力充電スタンドである。
【０００３】
現在、中国において、電気自動車に用いられる充電ステーションは、そのハードウェア施設は、中電力充電スタンドである。この充電スタンドの電源と充電ガンとの接続に用いられるのは、乾式一体型ケーブルである。軟性導線は、断面が７０平方ｍｍであり、直流動作電圧が７５０Ｖであり、この軟性導線に流すことができる最大直流電流は２５０Ａである。中国で、この中電力充電スタンドで普通型の電気バスを充電する場合、全車電池を満充電するには少なくとも３時間が必要である。中電力充電スタンドの充電効率は高くない。現在、中国の研究開発機関は大電力充電スタンドを研究開発している。そのパラメータは以下の通りである。直流充電電圧が１０００〜１５００Ｖであり、出力電流が５００〜６００Ａである。この大電力充電スタンドを用いて、普通型の電気バスを充電する場合、全車電池を満充電するには１５分のみ必要とする。大電力充電スタンドは充電効率が高く、未来の充電ステーションの発展方向においての主流である。
【０００４】
明らかであるのは、大電力充電スタンドの電源と充電ガンとの電気的接続するのに、従来の中電力充電スタンドに使われている乾式一体型ケーブルを使用する場合、４００〜６００Ａの充電電流を流すことができないことである。その原因として、中電力充電スタンドに使われている乾式一体型ケーブルの軟性導線の断面面積が７０平方ｍｍであり、最大２５０Ａの電流を流すことしかできないため、４００〜６００Ａの充電電流を流し電気自動車を充電すると、充電過程において、電気ケーブルの電極（電気ケーブルのジョイント）、導線、及び充電ガン接線端子は、いずれも、過大な電流が流れるため大量な熱を発生し、正常に使用できず、酷い場合、火災事故につながる。放熱問題を解決するには二つの方法があり、一つ目は、乾式一体型ケーブルの軟性導線の断面面積及び充電ガン接線端子の直径を大きくし４００〜６００Ａの充電電流を流すことができるようにする方法である。二つ目は、乾式一体型ケーブルの軟性導線の断面面積及び充電ガン接線端子の直径を大きくせず、液冷技術を用い、電極（ケーブルのジョイント）、導線、及び充電ガン接線端子に対し、流動する冷却液によって放熱を行い、４００〜６００Ａの充電電流を安全に流すことができるようにし、充電過程において安全かつ信頼できる動作を可能にする方法である。明らかに、一つ目の方法は使えない。原因は二つある。一つ目は、充電ガン接線端子の直径が増大し、充電ガンの体積が増大する。二つ目は、乾式一体型ケーブルの軟性導線の断面面積が増大し、乾式ケーブルの直径が増大する。
【０００５】
これらの二つの要素は，人間機械工学の使用要求に合致しない。上述の二つ目の方法は、実行可能であり、それは充電ガン端子の直径を大きくする必要がなく、軟性導線の断面面積を増大する必要がない。また、４００〜６００Ａの充電電流を流すことができ、人間機械工学の使用要求に合致する。
【発明の概要】
【発明が解決しようとする課題】
【０００６】
本発明の目的は、一種の大電力充電スタンド正極及び負極専用パラレル冷却液冷電気ケーブルを提供し、充電スタンド電源と充電ガンとの電気的接続に用いられる。パラレル冷却液冷電気ケーブル内には、直流ＤＣ＋および直流ＤＣ-という二本のパラレル冷却液冷ケーブルが設けられている。各パラレル冷却液冷ケーブル内には、独立した冷却液流通回路が設けられており、電気ケーブル内の、断面面積が３５〜６０平方ｍｍの軟性導線に４００〜６００Ａの充電電流を流すことができるようにする。
【課題を解決するための手段】
【０００７】
本発明をさらに開示するために、本発明の解決手段は以下のとおりである。
【０００８】
一種の大電力充電スタンド正極及び負極専用パラレル冷却液冷電気ケーブルは、液冷電気ケーブル絶縁カバーと、液冷電気ケーブル絶縁カバー内に設けられている複数の信号線とを備える。液冷電気ケーブル絶縁カバーは、内部に、直流ＤＣ＋および直流ＤＣ-という二本の液冷ケーブルが設けられている。各液冷ケーブルは、絶縁スリーブ管、軟性導線、および冷却液内菅から構成されている。軟性導線は絶縁スリーブ管内に設けられており、軟性導線と絶縁スリーブ管との間に設けられている隙間が冷却液外部通路である。冷却液内菅は軟性導線内部に貫通かつ嵌め込まれておりその管内のキャビティが冷却液内部通路である。
【０００９】
軟性導線は、一端が液冷電気ケーブル電極に接続されており、他端が充電ガン液冷端子に接続されており、充電ガン液冷端子には冷却液外部通路および冷却液内部通路と連通する冷却キャビティが設けられている。液冷電気ケーブル電極には冷却液外部通路および冷却液内部通路とそれぞれ対応かつ連通する冷却液出入口が設けられている。
【００１０】
解決手段をさらに改良するために、軟性導線は、軟導体および防護ネットを含む。冷却液内菅が軟導体内部を貫通し、軟導体が防護ネット内部を貫通し、絶縁スリーブ管と防護ネットとの間に環状の冷却液外部通路が設けられている。軟導体は、マルチストランドコアであり、断面が３５〜６０平方ｍｍであり、マルチストランドコアは、複数本の小径の錫メッキ銅単線の撚り合わせにより形成された複数本の小ストランドにより形成された筒状導線である。防護ネットは、細い錫メッキ銅線により編成された筒状の網線である。冷却液内菅は、ポリテトラフルオロエチレン管である。
【００１１】
解決手段をさらに改良するために、充電ガン液冷端子は、軸状であり、一端が電気自動車の充電ソケットと対応接続する閉口プラグ端であり、他端が大電力充電スタンドの液冷ケーブルの軟性導線と対応接続する開口接続端である。充電ガン液冷端子の外径の中間部位には、突出しており充電ガンの本体と接続するのに用いられる位置決めユニットが設けられている。冷却キャビティは、互いに連通している大径キャビティおよび小径キャビティの二段構造を有し、大径キャビティが開口接続端を介して冷却液外部通路と連通し、小径キャビティが閉口プラグ端の内部と対応している。
【００１２】
解決手段をさらに改良するために、位置決めユニットは、取り外し可能な位置決めユニットであり、取り外し可能な位置決めユニットが環状ナット状である。充電ガン液冷端子は、位置決めユニットの部位に雄ねじが設けられており、位置決めユニットが雄ねじに羅着されている。開口接続端の外部円柱面と位置決めユニットとの間に環状溝がもうけられており、環状溝に密封リングが設けられている。
【００１３】
解決手段をさらに改良するために、冷却液内菅は、充電ガン液冷端子の一端に位置し、小径キャビティの底部まで延伸する。冷却液内部通路と小径キャビティとが連通している。
解決手段をさらに改良するために、充電ガン液冷端子の小径キャビティの内部には、斜面開口内管が設けられている。斜面開口内管は、外径が小径キャビティの内径より小さくなるよう形成されている。小径キャビティの密封底部に近接する一端に斜面開口が設けられており、他端が外側に向いて伸び大径キャビティを出で冷却液内菅とスリーブ接続する。冷却液内部通路は斜面開口内管の斜面開口を介して小径キャビティと連通する。
【００１４】
解決手段をさらに改良するために、軟性導線は、一端が充電ガン液冷端子の大径キャビティの内壁に圧接されており、圧接断面の形状が半円の溝の形をしている。絶縁スリーブ管は、端部が開口接続端の外部円柱面にスリーブ接続されており、クリップにより締め付けられている。開口接続端は、外部円柱面に、クリップに合わせ可能な塔形の密封溝が設けられている。
【００１５】
解決手段をさらに改良するために、液冷電気ケーブル電極は、電極管路を含み、電極管路の両端にそれぞれ冷却液入口および導線接続口が設けられている。冷却液入口と導線接続口との間に連通孔が設けられている。連通孔は内径が導線接続口の内径より小さく形成されている。電極管路の管壁に冷却液出口が設けられている。冷却液入口に入液口クイックジョイントが接続されており、冷却液出口に出液口クイックジョイントが接続されている。液冷電気ケーブル電極には充電スタンド電源の正負極と接続する電極取付座が設けられている。
【００１６】
解決手段をさらに改良するために、液冷電気ケーブル電極は、電極管路を含む。電極管路は、一端に導線接続口が設けられており、他端が管路の密封端であり、他端に充電スタンド電源の正負極と接続する電極取付座が設けられており、管壁に冷却液入口および冷却液出口が並列に設けられている。冷却液出口は導線接続口の片側に位置する。冷却液入口と冷却液出口との間に連通孔が設けられている。連通孔は内径が導線接続口の内径より小さく形成されえている。冷却液入口に入液口クイックジョイントが接続されており、冷却液出口に出液口クイックジョイントが接続されている。
【００１７】
解決手段をさらに改良するために、冷却液内菅は、液冷電気ケーブル電極の一端に位置し、冷却液入口内に延伸する。冷却液内部通路と冷却液入口とが連通しており、冷却液出口と冷却液外部通路とが導線接続口を介して連通している。液冷電気ケーブル電極内において、冷却液入口内の冷却液と冷却液出口内の冷却液と互いに隔離されている。
【００１８】
解決手段をさらに改良するために、液冷電気ケーブル電極は、連通孔内に、電極冷却内管が密封接続されている。電極冷却内管は、一端が冷却液入口内に位置し、他端が外側に向いて伸び導線接続口を出て冷却液内菅とスリーブ接続されている。冷却液内部通路は電極冷却内管を介して冷却液入口と連通している。
【００１９】
解決手段をさらに改良するために、軟性導線は、他端が電極管路の内管壁に圧接されており、圧接断面の形状が半円の溝の形をしている。絶縁スリーブ管は、端部が電極管路の外部円柱面にスリーブ接続されており、クリップにより締め付けられている。電極管路は、外部円柱面に、クリップに合わせ可能な塔形の密封溝が設けられている。
【００２０】
従来技術と比べると、本発明の有益の効果は、以下のとおりである。本発明は、パラレル冷却液冷電気ケーブル内に、直流ＤＣ＋および直流ＤＣ-という二本のパラレル冷却液冷ケーブルが設けられている。各パラレル冷却液冷ケーブル内の冷却液流通回路は、内部で独立構成されており、互いに干渉しない。また、各パラレル冷却液冷ケーブル中の冷却液は、同軸内外循環冷却を実現することができ、電極（電気ケーブルのジョイント）、導線、及び充電ガン接線端子が充電作動中に発生した熱を運び、断面面積が３５〜６０平方ｍｍである軟性導線に４００〜６００Ａの充電電流を安全に流すことができるようにする。中電力充電スタンドの乾式電気ケーブルの７０平方ｍｍの導線に比べ、流すことができる電流が１．６〜２．４倍大きくなり、大電力充電スタンドの電気ケーブルの過熱問題を解決した。
【００２１】
本発明の大電力充電スタンド正極及び負極専用パラレル冷却液冷電気ケーブル中の各軟性導線の断面面積が３５〜６０平方ｍｍであり、中電力充電スタンドの乾式電気ケーブルの７０平方ｍｍよりも小さい。また、全体の電気ケーブルの外径は４０ｍｍより小さい。伝統的な乾式一体型電気ケーブルの外径と同様に現在の充電ガンの接続に適用可能である。また、コストが低く、重量が軽く、使用が便利な特徴を有し、人間機械工学に合致する。
【図面の簡単な説明】
【００２２】
【図１】本発明の構造を示す模式図である。
【図２】液冷電気ケーブルの局部構造を示す模式図である。
【図３】充電ガン液冷端子の構造を示す模式図である。
【図４】液冷電気ケーブル電極の構造を示す模式図である。
【図５】図４のＡ-Ａ線断面構造を示す模式図である。
【図６】直流ＤＣ＋と直流ＤＣ-の液冷ケーブルの断面を示す模式図である。
【図７】図５のＢ-Ｂ線断面を示す模式図である。
【図８】図５のＣ-Ｃ線断面を示す模式図である。
【図９】本発明の冷却循環構造を示す模式図である。
【図１０】本発明の実施例２において、液冷電気ケーブル電極側の断面構造を示す模式図である。
【図１１】本発明の実施例２において、充電ガン液冷端子側の断面構造を示す模式図である。
【図１２】実施例３中の液冷電気ケーブル電極の断面構造を示す模式図である。
【発明を実施するための形態】
【００２３】
本発明の実施例の中の図面に合わせて、本発明の実施例の中の解決手段について、明瞭、完全な説明を行う。説明する実施例は本発明の一部の実施例であり、全部の実施例ではない。本発明の実施例に基づいて、当業者が創成的な労力を前提とすることなく得られた全ての他の実施例は、本発明の保護の範囲に属する。
【実施例１】
【００２４】
一種の大電力充電スタンド正極及び負極専用パラレル冷却液冷電気ケーブルは、図１〜２に示すように、液冷電気ケーブル絶縁カバー１と、液冷電気ケーブル絶縁カバー１内に設けられている複数の信号線１０とを備える。液冷電気ケーブル絶縁カバー１は、内部に、直流ＤＣ＋および直流ＤＣ-という二本の液冷ケーブルが設けられている。二つの液冷ケーブルの構造は同じである。各液冷ケーブルは、絶縁スリーブ管３、軟性導線２、および冷却液内菅４から構成されている。軟性導線２は絶縁スリーブ管３内に設けられている。軟性導線２と絶縁スリーブ管３との間に設けられている隙間が冷却液外部通路５である。冷却液内菅４は、軟性導線２内部に貫通かつ嵌め込まれており、その管内のキャビティが冷却液内部通路６である。
【００２５】
本実施例において、冷却液内菅４は、一つのポリテトラフルオロエチレン管である。ポリテトラフルオロエチレンは、耐食性が最も良い材料の一つであり、良好な密封性、高い潤滑非粘性、電気絶縁性（１５００Ｖの高い電圧に耐えることができる）、及び耐老化性を有するだけでなく、耐高温性（-１８０°Ｃから＋２５０°Ｃまでの温度範囲内で長期的に動作可能である）を有し、ヒトに対する毒性を有しない。
【００２６】
軟性導線２は、軟導体２．１および防護ネット２．２を含み、冷却液内菅４が軟導体２．１内部を貫通する。軟導体２．１は防護ネット２．２内部を貫通し、絶縁スリーブ管３と防護ネット２．２との間に環状の冷却液外部通路５が設けられている。軟導体２．１は、マルチストランドコアであり、断面が３５〜６０平方ｍｍである。マルチストランドコアは、複数本の小径の錫メッキ銅単線の撚り合わせにより形成された複数本の小ストランドにより形成された筒状導線である。防護ネット２．２は、細い錫メッキ銅線により編成された筒状の網線である。研究によりますと、
複数の導線による撚り線を芯とすると、ケーブルの柔軟性を大きく高めることができ、湾曲するときの曲率が一箇所に集中せず、各導線に分散する。各導線の直径が小さければ小さいほど、湾曲するときに生じる応力が小さい。よって、湾曲半径の許容範囲内において塑性変形が発生しない。安定性がよく、信頼性が強く、強度が高く、加工製造及び取り付けが容易である特徴を有する。本発明において、軟銅撚り線２．１及び防護ネット２．２は、いずれも、撚り編みの網状導線である。よって、冷却液は、導線の隙間の中まで浸透可能であり、導線の表面と最大限に接触し放熱を行う。
【００２７】
図３、図６に示すように、充電ガン液冷端子８は、軸状であり、一端が電気自動車の充電ソケットと対応接続する閉口プラグ端８．２であり、他端が大電力充電スタンドの液冷ケーブルの軟性導線２と対応接続する開口接続端８．３である。充電ガン液冷端子８の外径の中間部位には、突出しており充電ガンの本体と接続するのに用いられる位置決めユニット８．４が設けられている。
【００２８】
本実施例では、充電ガン液冷端子８の加工コストを下げるために、開口接続端８．３の外部円柱面において、閉口プラグ端８．２側の一端に近いところに雄ねじが設けられている。位置決めユニット８．４は、取り外し可能な環状ナット状であり、環状ナットの円柱面に複数の環状溝が設けられている。環状ナットは開口接続端８．３の雄ねじに羅着されている。密封性を高めるために、環状ナットと開口接続端８．３との間にＯ型シールリングが設けられている。
【００２９】
冷却キャビティ８．１は、互いに連通している大径キャビティおよび小径キャビティの二段構造を有する。大径キャビティは、開口接続端８．３を介して冷却液外部通路５と連通する。小径キャビティは、閉口プラグ端８．２の内部と対応している。冷却液内菅４は、充電ガン液冷端子８の一端に位置し、小径キャビティの底部まで延伸し、冷却液内部通路６と小径キャビティとが連通している。閉口プラグ端８．２は、電気自動車の充電ソケットと接続かつ導電する部位として、通常、接続不良により大量の熱が発生する。冷却液内部通路６は、小径キャビティと連通し、直接に閉口プラグ端８．２の内部に対し冷却を行うことができる。
【００３０】
図７に示すように、軟性導線２は、一端が充電ガン液冷端子８の大径キャビティの内壁に圧接されており、圧接断面の形状が半円の溝の形をしており、軟性導線２と充電ガン液冷端子８との間の電気的接続を確立する。絶縁スリーブ管３は、端部が開口接続端８．３の外部円柱面にスリーブ接続されており、クリップ９により締め付けられている。
【００３１】
密封効果をさらに強くするために、開口接続端８．３の外部円柱面に、クリップ９に合わせ可能な塔形の密封溝が設けられている。クリップ９は、締め付けの前に中空の円柱の形をしている。クリップ９の外壁に、径方向の力を加え、クリップ９の塑性変形直径を小さくし、絶縁スリーブ管３を塑性変形させ、その内壁と塔形の密封溝とが密に結合して密封する。
【００３２】
図４-６に示すように、液冷電気ケーブル電極７は、電極管路７．１を含む。電極管路７．１の両端には、それぞれ冷却液入口７．２および導線接続口７．３が設けられている。冷却液入口７．２と導線接続口７．３との間には、連通孔７．５が設けられている。連通孔７．５は、内径が導線接続口７．３の内径より小さく形成されている。電極管路７．１の管壁に冷却液出口７．４が設けられている。冷却液内菅４は、液冷電気ケーブル電極７の一端に位置し、冷却液入口７．２内に延伸する。冷却液内部通路６と冷却液入口７．２とが連通しており、冷却液出口７．４と冷却液外部通路５とが導線接続口７．３を介して連通している。液冷電気ケーブル電極７内において、冷却液入口７．２内の冷却液と冷却液出口７．４内の冷却液と互いに隔離されている。
【００３３】
図８に示すように、軟性導線２は、他端が電極管路７．１の内管壁に圧接されており、圧接断面の形状が半円の溝の形をしており、軟性導線２と液冷電気ケーブル電極７との間の電気的接続を確立する。絶縁スリーブ管３は、端部が電極管路７．１の外部円柱面にスリーブ接続されており、クリップ９により締め付けられている。密封効果をさらに強くするために、電極管路７．１の外部円柱面に、クリップ９に合わせ可能な塔形の密封溝が設けられている。クリップ９は、締め付けの前に中空の円柱の形をしており、締め付け後の形と塔形の密封溝とが相互に合わせる。
【００３４】
液冷電気ケーブル電極７と充電スタンドとの電気的接続を簡単にするために、液冷電気ケーブル電極７には充電スタンド電源の正負極と接続する電極取付座７．７が設けられている。
【００３５】
液冷電気ケーブル電極７と外部冷却システムとの接続を簡単にするために、冷却液入口７．２に入液口クイックジョイント１１が接続されており、冷却液出口７．４に出液口クイックジョイント１２が接続されている。
【００３６】
液冷電気ケーブルは、使用中において、しばしば曲がり、曲がった場合、液冷ケーブル内部の冷却液内菅４の長さの変化が外部の絶縁スリーブ管３より小さいため、冷却液内菅４の両端が壁に当たり、冷却液の循環不良を招く。このような状況の発生を避けるため，  冷却液内菅４の両端に斜面坂口が設けられている。このようにすれば，冷却液内管４の両端が壁に当たっても冷却液の流通に影響をしない。
【００３７】
動作原理：冷却液は、純水、変圧器オイル、変圧器シリコーンオイル、フッ素化液など非導電性液体媒体であっても良い。同一の液冷ケーブル内の冷却液は必ず非導電性液体媒体であることを要求しない。しかし、直流ＤＣ＋及び直流ＤＣ-中の冷却液が同一の外部冷却装置を使う場合、ショートが発生する。よって、冷却液は非導電性液体媒体を用いることが好ましい。常温地域では、純水を用いることができ、寒冷地域では冷却油を用い、冷却媒体の凍結を防止し、異なる地域での電気ケーブルの正常な作動を保障する。
【００３８】
図９に示すように、冷却装置内の冷却液は、直流ＤＣ＋または直流ＤＣ-液冷ケーブルの入液口クイックジョイント１１から冷却液入口７．２に入り、その後冷却液内部通路６に流れ込む。冷却液内部通路６内の冷却液は、充電ガン液冷端子８の小径キャビティ中で流出し、大径キャビティを経由して冷却液外部通路５まで戻り、冷却液出口７．４を通って出液口クイックジョイント１２から流出し、冷却装置内に戻ることで、冷却液の循環を形成する。冷却液は何度も循環流動する過程において、軟性導線２、液冷電気ケーブル電極７、及び充電ガン液冷端子８に対して有効な冷却を行う。よって、６００Ａの電流を安全に流すことができ、大電力の充電に用いることを保障し、充電動作中に現れる電気ケーブルの過熱現象を避ける。
【実施例２】
【００３９】
実施例１で述べる一種の大電力充電スタンド正極及び負極専用パラレル冷却液冷電気ケーブルのように、実施例１と異なる技術的特徴は以下の３点である。
【００４０】
異なる点１：図１０に示すように、充電ガン液冷端子８の小径キャビティの内部には、斜面開口内管８．５が設けられている。斜面開口内管８．５は、外径が小径キャビティの内径より小さくなるよう形成されている。斜面開口内管８．５の小径キャビティの密封底部に近接する一端に斜面開口が設けられている。斜面開口内管８．５の他端は外側に向いて伸び大径キャビティを出で冷却液内菅４とスリーブ接続する。冷却液内部通路６は斜面開口内管８．５の斜面開口を介して小径キャビティと連通する。
【００４１】
異なる点２：図１１に示すように、液冷電気ケーブル電極７は、連通孔７．５内に、電極冷却内管７．６が密封接続されている。電極冷却内管７．６は、一端が冷却液入口７．２内に位置し、他端が外側に向いて伸び導線接続口７．３を出て冷却液内菅４とスリーブ接続されている。冷却液内部通路６は電極冷却内管７．６を介して冷却液入口７．２と連通している。
【００４２】
液冷電気ケーブルは、使用中において、しばしば曲がり、曲がった場合、液冷ケーブル内部の冷却液内菅４の長さの変化が外部の絶縁スリーブ管３より小さいため、冷却液内菅４は、充電ガン液冷端子８、液冷電気ケーブル電極７内の両端において壁に当たり、冷却液の循環不良を招く。
【００４３】
冷却液内菅４が壁に当たる問題を解決するために、本実施例は、実施例１に基づいて、上述の２点を改良した。このようにすれば、冷却液内菅４は、液冷電気ケーブル電極７側の一端に電極冷却内管７．６がスリーブ接続されている。電極冷却内管７．６は、金属導管であり、連通孔７．５と密封接続されており、冷却液内菅４が遊離しないようにする。電極冷却内管７．６と連通孔７．５とが密封接続することにより、冷却液入口７．２と冷却液出口７．４とが連通しないようにする。冷却液内菅４は、充電ガン液冷端子８側の一端に斜面開口内管８．５がスリーブ接続されている。斜面開口内管８．５は、小径キャビティの密封底部に近接する一端に斜面開口が設けられている。斜面開口内管８．５は、金属導管である。斜面開口内管８．５と小径キャビティの密封底部とが接触したとしても、壁に当たることで冷却液の循環不良が発生しない。斜面開口内管８．５は、小径キャビティの密封底部においての開口は多様であり、軸方向の溝の形でも良く、楔形の坂面口でもよく、開口の形状が、冷却液内部通路６が斜面開口内管８．５の開口を介して小径キャビティと連通することを満たせば良い。
【実施例３】
【００４４】
実施例２で述べる一種の大電力充電スタンド正極及び負極専用パラレル冷却液冷電気ケーブルのように、実施例２と異なる技術的特徴は以下の１点である。図１２に示すように、液冷電気ケーブル電極７の冷却液入口７．２は、導線接続口７．３と対向する、電極管路７．１の他端に設けられておらず、冷却液出口７．４と並列に、電極管路７．１の管壁に設けられており、導線接続口７．３の片側と遠く離れている。冷却液入口７．２と冷却液出口７．４との間は連通孔７．５により連通されている。連通孔７．５内に、電極冷却内管７．６が密封接続されている。電極冷却内管７．６は、一端が冷却液入口７．２内に位置し、他端が外側に向いて伸び導線接続口７．３を出て冷却液内菅４とスリーブ接続されている。冷却液内部通路６は電極冷却内管７．６を介して冷却液入口７．２と連通している。液冷電気ケーブル電極７内において、冷却液入口７．２内の冷却液と冷却液出口７．４内の冷却液と互いに隔離されている。
【００４５】
本実施例の中の液冷電気ケーブル電極７の構造と、実施例２の中の液冷電気ケーブル電極７の構造とは、その差異として、冷却液入口７．２の位置が異なるところにある。明らかに、機能作用が同じであり、ここでの説明を省略する。
【００４６】
以上、本発明の実施例を説明したが、当業者にとっては、本発明の原理や精神を逸脱することなく、これらの実施例に対して種々の変更、修正、置き換え、変更が可能であり、本発明の範囲は、請求の範囲及びその均等物によって限定される。
【符号の説明】
【００４７】
１・・・液冷電気ケーブル絶縁カバー
２・・・軟性導線
２．１・・・軟導体
２．２・・・防護ネット
３・・・絶縁スリーブ管
４・・・冷却液内菅
５・・・冷却液外部通路
６・・・冷却液内部通路
７・・・液冷電気ケーブル電極
７．１・・・電極管路
７．２・・・冷却液入口
７．３・・・導線接続口
７．４・・・冷却液出口
７．５・・・連通孔
７．６・・・電極冷却内管
７．７・・・電極取付座
８・・・充電ガン液冷端子
８．１・・・冷却キャビティ
８．２・・・閉口プラグ端
８．３・・・開口接続端
８．４・・・位置決めユニット
８．５・・・斜面開口内管
９・・・クリップ
１０・・・信号線
１１・・・入液口クイックジョイント
１２・・・出液口クイックジョイント
【図１】
2021518638.tif 000003
【図２】
2021518638.tif 000004
【図３】
2021518638.tif 000005
【図４】
2021518638.tif 000006
【図５】
2021518638.tif 000007
【図６】
2021518638.tif 000008
【図７】
2021518638.tif 000009
【図８】
2021518638.tif 000010
【図９】
2021518638.tif 000011
【図１０】
2021518638.tif 000012
【図１１】
2021518638.tif 000013
【図１２】
2021518638.tif 000014
【国際調査報告】
2021518638.tif 000015
2021518638.tif 000016
2021518638.tif 000017
2021518638.tif 000018